(57)【要約】【課題】蛍の採取から産卵に至るまで同一の自然環境を実現して産卵率を高める。【解決手段】捕獲した蛍の成虫を収容するために、側面を目視可能かつ自然風の流通可能な網面で構成した採取箱とし、その採取箱の内部底面に、水を満たした容器をおき、その水にその一部が浸る状態でサランネットを凹状に加工して乾燥水苔を載置して産卵床とした。 【選択図】図２
2012120479.tif 000002
【特許請求の範囲】
【請求項１】
捕獲した蛍の成虫を収容するために、目視可能かつ自然風の流通可能な網面で構成した採取箱と、その内部空間の底面に載置され、上面が開放された状態で液体が満たされた容器と、前記液体にその一部が浸る状態でその容器壁部間に張設され、その上部に乾燥水苔を載置したネットとからなる産卵床とで構成された、蛍の採取・産卵装置。
【請求項２】
捕獲した蛍の成虫を、目視可能かつ自然風の流通可能な網面で構成した採取箱に収容し、
前記採取箱の内部空間の底面に載置され、上面が開放された状態で液体が満たされた容器において、前記液体にその一部が浸る状態でその容器壁部間に調設され、その上部に乾燥水苔を載置したネットからなる産卵床上で蛍に産卵させた後、
孵化した蛍の幼虫を前記容器内の液内に浸して洗い出して該幼虫を取り出す蛍の採取・産卵・幼虫取り出し方法。
【請求項３】
上面が開放された状態で液体が満たされた容器と、
その上部に熱処理した乾燥水苔を載置するとともに、前記乾燥水苔のその一部が前記液体に浸るように前記容器壁部間に張設されたネットと
からなる蛍の産卵装置。
【発明の詳細な説明】
【技術分野】
【０００１】
本発明は、蛍の採取と産卵に用いられる採取装置と産卵・幼虫取り出し方法に関する。
【背景技術】
【０００２】
蛍の採取に際しては、実開平７−７４２０号公報（特許文献１）に示されるように、虫取り網で蛍を捕獲して、プラスチック製の虫籠に収容し、ある程度の虫数が捕獲できるまでこの虫かごで育成し、その後に空の水槽に移して水槽底面に配置した産卵床で産卵させて観察することが一般的であった。
【先行技術文献】
【特許文献】
【０００３】
【特許文献１】実開平７−７４２０号公報
【発明の概要】
【発明が解決しようとする課題】
【０００４】
ところが、プラスチック製の虫籠では置く場所によっては内部空間の湿度が高く蒸れた状態となり、かつ捕獲した多数の蛍を狭い空間で数時間乃至数日間育成することによってストレスがかかり、産卵率が低くなったり最悪の場合には死んでしまうことも多かった。一方、蛍が自然に生息している環境と同じ環境を目指して、前記水槽を自然環境に配置したとしても、成虫が蜘蛛に捕食されてしまう等問題が指摘されている。
【０００５】
本発明は、このような点に鑑みてなされたものであり、蛍の産卵率を高めることのできる技術を提供することを技術的課題とする。
【課題を解決するための手段】
【０００６】
本発明は、前記課題を解決するために、以下の手段を採用した。
【０００７】
本発明の請求項１は、捕獲した蛍の成虫を収容するために、目視可能かつ自然風の流通可能な網面で構成した採取箱と、その内部空間の底面に載置され、上面が開放された状態で液体が満たされた容器と、前記液体に一部が浸る状態でその容器壁部間に張設され、その上部に乾燥水苔を載置したネットとからなる産卵床とで構成された、蛍の採取・産卵装置である。
【０００８】
本発明の請求項２は、捕獲した蛍の成虫を、目視可能かつ自然風の流通可能な網面で構成した採取箱に収容し、前記採取箱の内部空間の底面に載置され、上面が開放された状態で液体が満たされた容器において、前記液体に一部が浸る状態でその容器壁部間に調設され、その上部に乾燥水苔を載置したネットからなる産卵床上で蛍に産卵させた後、孵化した蛍の幼虫を前記容器内の液内に浸して洗い出して該幼虫を取り出す蛍の採取・産卵・幼虫取り出し方法である。
【０００９】
本発明の請求項３は、上面が開放された状態で液体が満たされた容器と、その上部に熱処理した乾燥水苔を載置するとともに、前記乾燥水苔の一部が前記液体に浸るように前記容器壁部間に張設されたネットとからなる産卵床を特徴とする蛍の産卵装置である。
【発明の効果】
【００１０】
本発明によれば、捕獲した蛍を収容しておく採取箱自体で成虫の育成を行うとともに、その内部に配置された産卵装置での産卵を可能としたため、採取から産卵に至るまでの環
境が自然風の流通を確保した同一の環境で過させることができ、捕獲した蛍にストレスを与えることなく、産卵率を高めることができる。
【００１１】
また、産卵装置の産卵床として熱処理した乾燥水苔がその一部が液体に浸るようにしたことによって、雑菌の繁殖を防止しつつ産卵を促すことができる。
【図面の簡単な説明】
【００１２】
【図１】本発明の実施例である産卵装置の採取箱の外観を示す説明図
【図２】本発明の実施例である産卵装置の産卵床の構造を示す説明図
【発明を実施するための形態】
【００１３】
本発明を図に基づいて説明する。
【００１４】
図１は採取箱、図２は産卵床を示している。
【００１５】
採取箱１は、木製、金属または合成樹脂からなる枠体２を有しており、枠体２の４側面および上面には金属または合成樹脂からなる網面部材３が張設されている。枠体２の正面一部４は、ドア状に開閉可能であり、この部分を介して捕獲した蛍の成虫を収容したり、取り出すことが可能となっている。なお、網面は全側面と上下面の６面全てを網面にしてもよい。６面全面を網面とすることによって、風通しがさらによくなり、外環境と同じ温度湿度環境を維持することができる。下面を網面とすることの利点は、後述の産卵床から漏水があった場合にも水はけが良好になり、カビ等の発生が抑止できる。
【００１６】
この採取箱１には、蛍成虫が留まることが可能な止まり木用植物が収容されている。この止まり木用植物は図示は省略するが、比較的葉が多いイタドリ、ヨモギ等の植物の葉付きの茎の途中部分を輪ゴム等でまとめてその先端を水分供給用の水分を含んだ丸めたティッシュペーパーに挿入したものである。このような止まり木用植物を用意する場合には、周囲の環境が明るいうちに準備し、蜘蛛、蟷螂、蟻等の蛍の天敵が採取箱内に侵入しないように注意する必要がある。
【００１７】
産卵床１１は、採取箱１の底面に載置されており、上面が開放された合成樹脂または硝子製の容器１２に液体（水１３）が満たされており、その上面にはさらにサランネット１４が張設されている。サランネット１４は、中央部分が断面凹状に加工されており、この凹部に加工されたサランネットの上部に乾燥水苔１５を載置する。ここで、容器はプラスチック製の容器で構成することも可能で、その平面形状は円形、四角形のいずれでもよい。四角形の場合、長辺と短辺の長さは、４０ｃｍ×２５ｃｍ程度が好ましい。この産卵床１１は、採取箱１内の底面の一部に載置されている。この産卵床１１は、１つの採取箱１１につき１個が標準であるが、２個以上であってもよい。
【００１８】
サランネット１４の代替品として水に浸したガーゼやスポンジを用いることも考えられるが、水に浸したガーゼは取り扱いが難しくカビが生えやすい難点があり、スポンジは乾燥するのが速く、かつ蛍の幼虫がスポンジ内に入り込んでしまうと採取しにくい問題があるため適さない。また網状のものであればサランネットの代替品として用いることは可能である。
【００１９】
前記サランネット１４上に載置される乾燥水苔１５としては、乾燥水苔を用いることが好ましい。この点につき一般の生の苔類の方が入手しやすい利点はあるが、菌類が繁殖している可能性があり、カビが生えやすいため、留意する必要がある。
【００２０】
容器に満たす水１３としてはミネラルウォーターが好ましい。本来ならば蛍の生息環境
の水が一番適しているが、汲み置きしておくことが難しく、水道水ではカルキ抜きなどの作業が必要であり適さない。
【００２１】
乾燥水苔１５は、水苔を熱処理して乾燥させたものであり、保水特性が高く、一般に洋蘭等の植物の育成に用いられるものである。熱処理して滅菌されているため、再度水分を与えても雑菌の繁殖を抑止できる。
【００２２】
このような乾燥水苔１５を、その１／４〜１／３が水１３に浸るようにその量を調整する。乾燥水苔１５の全てを浸してしまうと水浸し状態となり、産卵環境としては不適である。１／２でも水分量としては多すぎて産卵環境として不適である。１／４〜１／３程度を浸して、自然の毛管現象により水を吸い上げる状態としておくことが産卵環境として好適であると考えられる。また乾燥水苔１５の量が少ない場合には、サランネット１４の凹部のへこみ量を手作業あるいは工具等で調整してもよい。またサランネット１４は凹部の部分だけもよく、凹部の周囲を針金等で容器１２の縁部に係止してもよい。
【００２３】
乾燥水苔１５上に生み付けられた卵は、ヘイケボタルの場合で約２０日、ゲンジボタルの場合で約２５日から孵化が始まる。孵化した幼虫は凹部の周囲から水１３の中に落ちて水中で生活する。
【００２４】
サランネット１４を毎日あるいは数日毎に容器１２から外して水中に落ちた幼虫を図示しない幼虫飼育器に移す。なお、孵化しても水中に落下せずに乾燥水苔１５内に留まっている幼虫もいるため、乾燥水苔１５を載せたままのサランネット１４を容器１２内の水１３に浸して洗い出すようにして、孵化した幼虫を確実に回収することが望ましい。
【００２５】
本実施形態の採取・産卵装置（産卵床１１）を用いた実験によれば、７月上旬にヘイケボタルの成虫（３０匹）を採取し、前記のようなサランネット１４上の乾燥水苔１５に産卵させた結果、７月下旬に孵化が始まり、１週間程度で卵の大半が孵化した。最終的には、ヘイケボタル約９００個体の幼虫が得られた。
【００２６】
これに対して、１９８３年５月１５日、株式会社平河工業社発行、南喜市郎著「復刻版
ホタルの研究」第１２頁によれば、網を調節した孵化器を用いて、ヘイケボタル５６匹から４９８個体の幼虫が得られたとの記載がある。
【００２７】
このことから、本実施形態では非常に高い産卵効率を実現できていることがわかる。
【００２８】
以上、本発明を実施形態に基づいて説明したが、本発明は以上の実施形態に限定されるものではない。
【００２９】
たとえば、採取箱は６面を網面で構成した直方体形状のものを図示して説明したが、これに限らず、円柱形状、多角柱形状、側面または正面台形状のいかなる筐体形状を有していてもよい。
【産業上の利用可能性】
【００３０】
本発明は、蛍の採取から産卵に適用できる。
【符号の説明】
【００３１】
１  採取箱
２  枠体
３  網面部材
４  正面一部（ドア）
１１  産卵床
１２  容器
１３  液体（水）
１４  サランネット
【図１】
2012120479.tif 000003
【図２】
2012120479.tif 000004